(57)【要約】【課題】見栄えが良く、受信性能に優れたアンテナ付き縦樋を提供する。【解決手段】雨水を流すための断面円形の樋体１０と、樋体１０に巻かれる断面Ｃ字状のスロットアンテナ３と、スロットアンテナ３を抱持してスロットアンテナ３を樋体１０に取り付けるバンド２２を備える。バンド２２に、スロットアンテナ３に接続された給電用のケーブル２１を保持するケーブル保持部３５と、スロットアンテナ３に掛合されることでバンド２２が樋体１０の周方向に回動することを規制する被掛合部３１が形成される。【選択図】図１
2012225026.tif 000002
【特許請求の範囲】
【請求項１】
雨水を流すための断面円形の樋体と、この樋体に巻かれる断面Ｃ字状のスロットアンテナと、このスロットアンテナを抱持して前記スロットアンテナを前記樋体に取り付けるバンドを備え、前記バンドに、前記スロットアンテナに接続された給電用のケーブルを保持するケーブル保持部と、前記スロットアンテナに掛合されることで前記バンドが前記樋体の周方向に回動することを規制する被掛合部が形成されたことを特徴とするアンテナ付き竪樋。
【請求項２】
前記スロットアンテナに外方に向かって開口する嵌合孔が形成され、前記バンドに、前記被掛合部として、内方に向かって突出して前記嵌合孔に掛合される突部が形成されたことを特徴とする請求項１に記載のアンテナ付き竪樋。
【請求項３】
前記バンドに前記スロットアンテナの周方向の両端面の夫々に掛合される突起が形成され、これら突起で前記被掛合部が構成されたことを特徴とする請求項１に記載のアンテナ付き竪樋。
【発明の詳細な説明】
【技術分野】
【０００１】
本発明は樋体にスロットアンテナが設けられたアンテナ付き竪樋に関する。
【背景技術】
【０００２】
特許文献１には、縦樋部にアンテナ部を取付ける技術が開示されている。このアンテナ部は、二枚の導体板からなるアンテナ素体を組み合わせて形成されている。
【先行技術文献】
【特許文献】
【０００３】
【特許文献１】特開平１−１６８１０１号公報
【発明の概要】
【発明が解決しようとする課題】
【０００４】
特許文献１の各アンテナ素体は、半円筒状で縦樋部の外面を覆う折返し部と、折返し部に連結された半円筒状の給電部を有している。しかし、このアンテナ部は、給電部が折返し部から大きく突出するため、縦樋部と一体的な外観にならず、また大型であって見栄えが良くない。また、前記アンテナ部を利用するには、アンテナ部に給電用のケーブルを接続すればよいが、このケーブルがアンテナ部の対向位置等に配置されると、アンテナ部の受信性能に悪影響を及ぼす可能性がある。
【０００５】
本発明は上記事情に鑑みてなされたものであって、見栄えが良く、受信性能に優れたアンテナ付き縦樋を提供することを課題とする。
【課題を解決するための手段】
【０００６】
上記課題を解決するために本発明のアンテナ付き縦樋は、雨水を流すための断面円形の樋体と、この樋体に巻かれる断面Ｃ字状のスロットアンテナと、このスロットアンテナを抱持して前記スロットアンテナを前記樋体に取り付けるバンドを備え、前記バンドに、前記スロットアンテナに接続された給電用のケーブルを保持するケーブル保持部と、前記スロットアンテナに掛合されることで前記バンドが前記樋体の周方向に回動することを規制する被掛合部が形成されたことを特徴とする。
【０００７】
また、前記スロットアンテナに外方に向かって開口する嵌合孔が形成され、前記バンドに、前記被掛合部として、内方に向かって突出して前記嵌合孔に掛合される突部が形成されることが好ましい。
【０００８】
また、前記バンドに前記スロットアンテナの周方向の両端面の夫々に掛合される突起が形成され、これら突起で前記被掛合部が構成されることが好ましい。
【発明の効果】
【０００９】
本発明にあっては、見栄えが良く、受信性能に優れたアンテナ付き縦樋を提供できる。
【図面の簡単な説明】
【００１０】
【図１】第一実施形態の樋体（図示せず）の外面に沿って設けられたスロットアンテナにバンドを取り付けた状態を示す斜視図である。
【図２】同上のアンテナ付き縦樋の施工状態を示す側面図である。
【図３】同上のアンテナ付き縦樋の一部破断した斜視図である。
【図４】同上のアンテナ付き縦樋の斜視図である。
【図５】同上のアンテナ付き縦樋の縦断面図である。
【図６】同上のスロットアンテナの斜視図である。
【図７】同上のスロットアンテナが巻かれた樋体の斜視図である。
【図８】同上のバンドの斜視図である。
【図９】第二実施形態のスロットアンテナとバンドの掛合部分を示す平面図である。
【図１０】同上のバンドの斜視図である。
【図１１】同上のスロットアンテナが巻かれた樋体の斜視図である。
【発明を実施するための形態】
【００１１】
以下、本発明を添付図面に基づいて説明する。
【００１２】
（第一実施形態）
本実施形態のアンテナ付き竪樋１は、例えば図２に示されるように竪樋の途中に設けられ、テレビ側ケーブル２に接続されることでテレビ受信用のアンテナとして用いられる。
【００１３】
図３に示されるように、アンテナ付き竪樋１は、スロットアンテナ３を有するアンテナ樋本体４と、アンテナ樋本体４の上端部及び下端部の夫々に設けられた接続体５，６を備えている。接続体５，６は、アンテナ樋本体４と軒先の竪樋やエルボ等の接続継手等からなる他の筒状樋７，８（図２参照）に接続される。以下、特に区別する場合には、アンテナ樋本体４の上端部に設けられた接続体５を上接続体５と記載し、アンテナ樋本体４の下端部に設けられた接続体６を下接続体６と記載する。
【００１４】
図５に示されるように、アンテナ樋本体４は、内側が雨水を流すための排水流路となった樋体１０と、樋体１０の外面に設けられたスロットアンテナ３と、樋体１０及びスロットアンテナ３を外側から覆う外筒体１１を有している。樋体１０は塩化ビニル樹脂等の非導電性の合成樹脂材料により形成され、上下方向に軸方向を有する円筒形状をなす。
【００１５】
図６に示されるように、スロットアンテナ３は水平断面Ｃ字状であり、導電性を有する金属板１２と、金属板１２を被覆する保護フィルム１４で構成されている。
【００１６】
金属板１２は、スロット１５を形成した縦長長方形状の鋼板を断面Ｃ字状になるように上下方向に一様に湾曲させたものであり、アンテナ樋本体４の軸方向に沿って長い。
【００１７】
スロットアンテナ３にはスロット１５が上下方向に複数並べて設けられている。図３のように各スロット１５は三角形の頂点を互いに突き合わせたようなボウタイ形状に形成されており、両スロット１５は金属板１２に形成されたスリット（図示せず）で接続されている。
【００１８】
スロットアンテナ３は、第一の周波数帯（例えば４７３〜６００ＭＨｚ）の電波を受信する第一の受信部１７と、第二の周波数帯（例えば６００〜７２０ＭＨｚ）の電波を受信する第二の受信部１８を有している。
【００１９】
第一の受信部１７は、スロット１５及びスロット１５の周縁部により構成されている。第二の受信部１８は、金属板１２のスロット１５に対し上下方向に隣接する部分により構成されている。
【００２０】
第一の受信部１７を構成するスロット１５の上下長さは、前記第一の周波数帯内の電波の電気的な半波長の長さと同じである。すなわち、第一の周波数帯内の中心周波数が５３６．５ＭＨｚであり、第一の周波数帯内の電波の電気的な半波長λ／２は約２８ｃｍであることから、各スロット１５の上下方向の長さは約２８ｃｍとなっている。
【００２１】
第二の受信部１８の周方向の長さは、前記第二の周波数帯内の電波の電気的な半波長の長さと同じである。すなわち、第二の周波数帯の中心周波数が６６０ＭＨｚであり、第二の周波数帯内の電波の電気的な半波長λ／２は約２３ｃｍであることから、第二の受信部１８の周方向の長さは約２３ｃｍとなっている。
【００２２】
図６に示されるように、スロットアンテナ３の周方向の両端間には、スロットアンテナ３の上下に亘る隙間１９が形成されている。隙間１９はスロット１５の後方に配置され、スロット１５に対向している。隙間１９において各スロット１５の後方に位置する部分は、金属板１２が存在しない抜き部を構成している。
【００２３】
図３のようにスロットアンテナ３において上側の第一の受信部１７を構成するスロット１５の両側は三角形状に形成され、これら対向する三角形状部分の夫々の頂点部分により、スロットアンテナ３の給電部２０が構成されている。
【００２４】
保護フィルム１４は、ＰＥＴ等の電気絶縁性を有する合成樹脂フィルムで形成され、金属板１２の表裏両面に重ねて接着される。保護フィルム１４は、金属板１２が露出しないように、各スロット１５及び前記スリットを含めて金属板１２全体を被覆する。
【００２５】
給電部２０には、給電用のアンテナ部側ケーブル２１の一端部が接続されている。アンテナ部側ケーブル２１は同軸ケーブルであり、内側の導線が一方の給電部２０に接続され、外側の網線が他方の給電部２０に接続される。
【００２６】
アンテナ部側ケーブル２１を給電部２０に接続するには、例えばスロットアンテナ３の表面側の保護フィルム１４の給電部２０に対応する部分を剥離して給電部２０を露出させ、この露出面に半田付けなどの任意の接続手段で前記導線や網線を接続する。
【００２７】
アンテナ部側ケーブル２１はスロットアンテナ３の外面に沿って配置され、スロット１５と重複しないように給電部２０からスロット１５や隙間１９を避けた位置を通過して上接続体５に至る。
【００２８】
スロットアンテナ３は、湾曲した内面が樋体１０の外周面に沿わせられ、この状態で複数のバンド２２により樋体１０に取付けられる。
【００２９】
バンド２２は、非導電性の合成樹脂材料により形成されており、樋体１０を囲むスロットアンテナ３を抱持する円環状の抱持部２３を有している。
【００３０】
図８に示されるように、抱持部２３は、一端に軸方向を上下方向とする軸部２５を有すると共に他端に被係止部２６を有する平面視略半円弧状の第一の半体２７を備えている。また、抱持部２３は、一端に軸受部２９を有すると共に他端に係止部３０を有する平面視略半円弧状の第二の半体２８を備えており、第一の半体２７と第二の半体２８で抱持部２３が構成されている。第一の半体２７の軸部２５は第二の半体２８の軸受部２９に対して回動自在に連結されており、被係止部２６は係止部３０に対して着脱自在に係止できるようになっている。
【００３１】
円環状の抱持部２３の内面には、スロットアンテナ３に掛合される被掛合部３１が形成されている。各半体２７，２８には、被掛合部３１として、半体２７（又は２８）からバンド２２の内方に向かって突出する矩形状の突部３２が形成されており、両突部３２は被係止部２６の両側に配置されている。
【００３２】
図６に示されるように、スロットアンテナ３の各バンド２２が巻き付けられる箇所には、被掛合部３１が掛合される掛合部として、前記突部３２が嵌合される嵌合孔３３を形成してある。
【００３３】
嵌合孔３３は、スロットアンテナ３の周方向の両側端部の夫々に上下方向に複数形成され、各バンド２２に対して二個ずつ設けられており、各嵌合孔３３はスロットアンテナ３を貫通してスロットアンテナ３の内外両方向に開口している。嵌合孔３３が形成されたスロットアンテナ３の周方向両側端部は、スロットアンテナ３の表裏の保護フィルム１４の金属板１２の端縁より突出した端縁部同士を接着することで構成されている。つまり、各嵌合孔３３は、スロットアンテナ３の保護フィルム１４のみで構成された部分に形成されている。
【００３４】
図３に示されるように、スロットアンテナ３は複数のバンド２２により上下方向の複数箇所が樋体１０に対して固定される。バンド２２は樋体１０の外面に沿って配置されたスロットアンテナ３に例えば以下のようにして取付けられる。
【００３５】
まず、図８に示されるバンド２２の被係止部２６を係止部３０から外して両半体２７，２８を開き、このうち一方の半体２８をスロットアンテナ３の片側外面に被せる。このとき、一方の半体２８に設けられた突部３２を対応する嵌合孔３３に嵌合させる。
【００３６】
次に、一方の半体２８に対して他方の半体２７を軸部２５を中心に回動し、他方の半体２７をスロットアンテナ３の他側外面に被せると共に被係止部２６を係止部３０に係止する。このとき、他方の半体２７に設けられた突部３２を対応する嵌合孔３３に嵌合させる。
【００３７】
これにより、スロットアンテナ３はバンド２２の抱持部２３により樋体１０側となる内方に締め付けられて抱持され、樋体１０に対して固定される。同時にバンド２２がスロットアンテナ３に取り付けられる。このようにスロットアンテナ３に取り付けられたバンド２２は、図１のように各突部３２が対応する嵌合孔３３に掛合されることにより、樋体１０の周方向の回動及び上下方向の移動が規制される。
【００３８】
各バンド２２は、図３のようにアンテナ部側ケーブル２１をバンド２２に対して移動しないように保持するケーブル保持部３５を有している。本実施形態では、ケーブル保持部３５として、図８のように第一の半体２７の内周面及び第二の半体２８の内周面の夫々に保持溝３６が形成されている。
【００３９】
保持溝３６は各半体２７，２８の周方向の一部を径外方向に突出した部分の内側に形成され、上下に開口している。
【００４０】
保持溝３６で給電部２０に接続されたアンテナ部側ケーブル２１を保持するには、アンテナ部側ケーブル２１を保持溝３６に通した状態で、前述のようにバンド２２をスロットアンテナ３に取付ける。これにより、バンド２２とスロットアンテナ３の間には、アンテナ部側ケーブル２１が挟まれ、アンテナ部側ケーブル２１の長さ方向の一部が保持溝３６によって保持される。
【００４１】
各バンド２２は、前記軸受部２９、被係止部２６、各保持溝３６外側の部分の夫々で構成された径外方向に突出する突出部３７を有している。突出部３７はバンド２２の周方向に等間隔で配置されている。
【００４２】
外筒体１１は非導電性の合成樹脂材料により形成され、図５のように樋体１０と同心の円筒状に形成されている。外筒体１１の外面に沿って設けられたスロットアンテナ３にバンド２２を取り付けた状態で、外筒体１１で樋体１０を囲むと、各突出部３７は、外筒体１１の内周面に当接するあるいは外筒体１１の内周面の近傍に配置される。このため、樋体１０と樋体１０に設けられたスロットアンテナ３は外筒体１１の略中心に配置される。前記スロットアンテナ３に接続されたアンテナ部側ケーブル２１は、この外筒体１１により覆い隠される。外筒体１１の上端部には上接続体５が接続され、外筒体１１の下端部には下接続体６が接続される。
【００４３】
アンテナ部側ケーブル２１の給電部２０と反対側の端部には接続具３４が設けられている。接続具３４は上接続体５に取り付けられ、上接続体５の外部に露出する。接続具３４にはテレビ側ケーブル２が接続される。これにより、テレビ側ケーブル２はアンテナ部側ケーブル２１を介して給電部２０に電気接続される。すなわち、テレビ側ケーブル２とアンテナ部側ケーブル２１により、スロットアンテナ３に給電を行う給電路が構成されている。
【００４４】
上接続体５は樋体１０に通じる上接続口３８を有し、下接続体６は樋体１０に通じる下接続口４１を有している。上接続体５の上接続口３８は、竪樋などの上側の他の筒状樋７の下端部に連通接続され、下接続体６の下接続口４１は、下側の筒状樋８の上端部に連通接続される。
【００４５】
上接続体５の上接続口３８は筒状樋７に対して回動可能に接続でき、下接続体６の下接続口４１は筒状樋８に対して回動可能に接続できる。このため、アンテナ付き竪樋１を設置するにあたっては、指向性を有するスロットアンテナ３のスロット１５が放送電波を最も強く受信できる向きとなるようアンテナ付き竪樋１を配置することができる。そして、このように配置されたアンテナ付き竪樋１の外筒体１１を控え具３９により外壁に固定することで、アンテナ付き竪樋１は外壁に固定される。なお、筒状樋７，８は、控え具４０により外壁に固定される。
【００４６】
以上説明したアンテナ付き竪樋１は、断面円形の樋体１０に巻かれる断面Ｃ字状のスロットアンテナ３を備えており、スロットアンテナ３を樋体１０の外周面に沿って配置することができる。このため、アンテナ付き竪樋１の大型化を抑えると共に、アンテナ付き竪樋１を一般の竪樋に似た外観とすることができ、見栄えを良くすることができる。また、スロットアンテナ３を樋体１０に取り付けるためのバンド２２には、スロットアンテナ３に接続されたアンテナ部側ケーブル２１を保持するケーブル保持部３５が形成されている。このため、アンテナ部側ケーブル２１をケーブル保持部３５で保持してスロットアンテナ３のスロット１５や隙間１９を避けた位置に配置することができ、アンテナ部側ケーブル２１によるスロットアンテナ３の受信性能の低下を抑制できる。さらに、バンド２２には、スロットアンテナ３に掛合されてバンド２２が樋体１０の周方向に回動することを規制する被掛合部３１が形成されており、バンド２２がスロットアンテナ３に対して回動することを防止できる。このため、ケーブル保持部３５で保持されたアンテナ部側ケーブル２１が、スロット１５や隙間１９の対向する位置に配置されることを防止できる。
【００４７】
また、本実施形態では、スロットアンテナ３に外方に向かって開口する嵌合孔３３が形成され、バンド２２に、被掛合部３１として、内方に向かって突出して嵌合孔３３に掛合される突部３２が形成されている。このため、スロットアンテナ３に嵌合孔３３を形成すると共にバンド２２に突部３２を形成するだけで、バンド２２がスロットアンテナ３に対して回動すること及び上下方向に移動することを防止できる。
【００４８】
なお、前記突部３２及び嵌合孔３３の夫々はバンド２２毎に１又は３以上設けてもよい。また、本実施形態の嵌合孔３３はスロットアンテナ３を貫通する貫通孔としたが、外方に向かってのみ開口する孔であってもよい。また、嵌合孔３３はスロットアンテナ３において、保護フィルム１４のみで構成されるに部分に形成したが、保護フィルム１４と金属板１２で構成される部分に形成しても構わない。
【００４９】
また、バンド２２に設けられた突部３２及びこれが掛合するスロットアンテナ３に設けられた嵌合孔３３の形状は前記矩形状以外の形状であってもよい。例えば、バンド２２に円形の突部３２を設けると共に、スロットアンテナ３に前記円形の突部３２に合致する円形の嵌合孔３３を設ける等してもよい。
【００５０】
（第二実施形態）
次に上記とは異なる実施形態につい説明する。なお、以下の説明では第一実施形態と同一の構成については同一の番号を付与し、重複する説明は省略する。
【００５１】
図１０に示されるように、本実施形態の各バンド２２には、突部３２に代えて、突起４２が形成されており、これら突起４２により被掛合部３１が構成されている。
【００５２】
各突起４２は、半体２７（又は２８）からバンド２２の内方に突出した上下方向に延びるリブであって、両突起４２は被係止部２６の両側に配置されている。
【００５３】
図１１のようにスロットアンテナ３には嵌合孔３３が形成されておらず、被掛合部３１が掛合される掛合部は、スロットアンテナ３の周方向の両端面によって構成されている。なお、前記掛合部を構成するスロットアンテナ３の両端面は、スロットアンテナ３の表裏の保護フィルム１４によって構成されている。
【００５４】
バンド２２は、樋体１０の外面に沿って配置されたスロットアンテナ３に例えば以下のようにして取付けられる。
【００５５】
まず、第一実施形態と同様に、図８に示されるバンド２２の一方の半体２８をスロットアンテナ３の片側外面に被せる。このとき、図９のようにスロットアンテナ３に被せた半体２８に設けられた突起４２をスロットアンテナ３の周方向の一方の端面に対向する位置に配置する。次に、第一実施形態と同様に、図８に示される他方の半体２７をスロットアンテナ３の他側外面に被せて、一方の半体２８に対して他方の半体２７を軸部２５を中心に回動して係止部３０を被係止部２６に係止する。このとき、図９のように他方の半体２７に設けられた突起４２をスロットアンテナ３の周方向の一方の端面に対向する位置に配置する。このようにスロットアンテナ３に取り付けられたバンド２２は、図９のように各突起４２がスロットアンテナ３の対応する端面に掛合されることで、樋体１０の周方向の回動が規制される。
【００５６】
本実施形態では、バンド２２にスロットアンテナ３の周方向の両端面の夫々に掛合される突起４２が形成され、これら突起４２で被掛合部３１が構成されている。このため、バンド２２に突起４２を形成するだけで、バンド２２がスロットアンテナ３に対して回動することを防止できる。
【００５７】
なお、前記各実施形態における外筒体１１は省略してもよい。また、前記各実施形態では、スロットアンテナ３の保護フィルム１４を金属板１２の表裏面に設けたが、金属板１２の表面にのみ設けてもよい。また、スロットアンテナ３を金属板１２と保護フィルム１４で構成したが、金属板１２のみで構成しても構わない。また、前記各実施形態では、テレビ側ケーブル２とアンテナ部側ケーブル２１とでスロットアンテナ３に給電を行う給電路を構成した。しかし、給電部２０に接続される一本のケーブルで給電路を構成し、このケーブルをバンド２２のケーブル保持部３５で保持するようにしてもよい。
【符号の説明】
【００５８】
１  アンテナ付き縦樋
３  スロットアンテナ
１０  樋体
２１  アンテナ部側ケーブル
２２  バンド
３１  被掛合部
３２  突部
３３  嵌合孔
３５  ケーブル保持部
４２  突起
【図１】
2012225026.tif 000003
【図２】
2012225026.tif 000004
【図３】
2012225026.tif 000005
【図４】
2012225026.tif 000006
【図５】
2012225026.tif 000007
【図６】
2012225026.tif 000008
【図７】
2012225026.tif 000009
【図８】
2012225026.tif 000010
【図９】
2012225026.tif 000011
【図１０】
2012225026.tif 000012
【図１１】
2012225026.tif 000013